(57)【要約】【課題】障子閉じ状態の時の内観の見栄えが良いと共に、眺望性がよい片開き窓とする。【解決手段】上枠２と下枠３と一方の縦枠４と他方の縦枠５で窓枠１とし、上框１１と下框１２と一方の縦框１３と他方の縦框１４を方形状に連結し、内部にガラス１５を取付けて障子１０とし、前記上枠２のガイド部材２２と下枠３のガイド部材３２とに亘って障子１０を移動自在に取付け、この障子１０の一方の縦框１３を窓枠１から側方に張り出して開き状態とする片開き窓とし、前記上枠２、下枠３、一方の縦枠４、他方の縦枠５の本体部材２０，３０，４０，５０の内側面２３，３３，４２，５３を上框１１、下框２、一方の縦框１３、他方の縦框１４よりも内方として障子閉じ状態で各框が室内から見えないようにする。【選択図】図２
2006249873.tif 000002
【特許請求の範囲】
【請求項１】
上枠と下枠と一方の縦枠と他方の縦枠を方形状に連結した窓枠と、この上枠の室外側部と下枠の室外側部とに亘って移動自在に取付けた障子を備え、
前記障子は、上框と下框と一方の縦框と他方の縦框を方形状に連結し、その内部にガラスを取付けたもので、一方の縦框が窓枠から側方に張り出すことで他方の縦框と他方の縦枠との間が開口し、
前記上枠の室内側の最も下の面が上框よりも下方に位置し、下枠の室内側の最も上の面が下框よりも上方に位置し、一方の縦枠の室内側の最も他方の縦枠寄りの面が閉じ状態の障子の一方の縦框よりも内方に位置し、他方の縦枠の室内側の最も一方の縦枠寄りの面が閉じ状態の障子の他方の縦框よりも内方に位置することを特徴とする片開き窓。
【請求項２】
他方の縦枠は、本体部材とカバー部材で他方の縦框が入り込む凹陥部を有し、
前記他方の縦枠と前記他方の縦框とに亘って防虫網を取付け、
この防虫網は、障子閉じ状態の時に前記凹陥部と他方の縦框との間に折り畳みされた状態で収納され、障子開き状態の時には他方の縦枠と他方の縦框との間の開口よりも室内側に張設されるようにした請求項１記載の片開き窓。
【請求項３】
カバー部材は他方の縦枠の本体部材と別部材で、一方の縦枠の本体部材にも取付け可能で、
一方の縦框と他方の縦框は、室外側部材と室内側部材を着脱自在に連結した形状で、その各室外側部材が同一形状で、かつ室内側部材が取り付け替えでき、
前記他方の縦框の室内側部材に防虫網の取付部を設けてある請求項２記載の片開き窓。
【請求項４】
障子の他方の縦框に開閉兼ロック部材を取付け、他方の縦枠にはロック受を取付け、この開閉兼ロック部材は常時ロック受と係合する方向に付勢して保持され、かつ障子の開き方向に操作することでロック受と離脱するようにした請求項１記載の片開き窓。
【請求項５】
ガラスの上縁部、下縁部の室外側面が、上框、下框に接着シール材で接着して取付けられ、このガラスの上縁部、下縁部の室内側面はフリーで、
前記ガラスの両方の縦縁部が、両方の縦框の内向凹部に挿入して室外側シール材と室内側シール材で支持されている請求項１記載の片開き窓。
【発明の詳細な説明】
【技術分野】
【０００１】
本発明は、浴室、トイレ、台所等に取付ける片開き窓に関する。
【背景技術】
【０００２】
従来から、開閉する窓としては引き違い窓、片側固定の片開き窓などが知られているが、これらの窓は障子閉じ状態で召合せ框が室内から見えるので見栄えが悪いし、室内から室外を見る際に召合せ框が邪魔になるので眺望性が悪い。
テラスや庭に面した場所に取付けられ、人が出入りする窓の場合には、大きな開口が必要であるから前述の引き違い窓や片側固定の片開き窓とする必要があるが浴室、トイレ、台所等に取付ける窓は、人が出入するのではなく、主に換気を目的とするものであるから、開口は小さくて良く、前述の引き違い窓や片側固定の片開き窓などの開口の大きな窓を取付けなくとも良い。
【０００３】
前述の開口が小さい窓としては、特許文献１に開示された自由窓が提案されている。
この自由窓は、窓枠に１つの障子を摺動自在に取付け、その障子を窓枠の一方の縦枠から側方に突出することで他方の縦枠と障子を離隔して開口とする窓で、この自由窓であれば障子の召合せ框が無いので、障子閉じ状態での内観の見栄えが改善されるし、眺望性も改善される。
【０００４】
【特許文献１】実公昭５３−１４５２６号公報
【発明の開示】
【発明が解決しようとする課題】
【０００５】
前述した従来の自由窓は、障子閉じ状態で障子の上框、下框が室内から見えるので、内観の見栄えが良いとは言えないし、眺望性が良いとは言えない。
【０００６】
本発明の目的は、障子閉じ状態での内観の見栄えが良いと共に、眺望性が良い片開き窓とすることである。
【課題を解決するための手段】
【０００７】
本発明は、上枠と下枠と一方の縦枠と他方の縦枠を方形状に連結した窓枠と、この上枠の室外側部と下枠の室外側部とに亘って移動自在に取付けた障子を備え、
前記障子は、上框と下框と一方の縦框と他方の縦框を方形状に連結し、その内部にガラスを取付けたもので、一方の縦框が窓枠から側方に張り出すことで他方の縦框と他方の縦枠との間が開口し、
前記上枠の室内側の最も下の面が上框よりも下方に位置し、下枠の室内側の最も上の面が下框よりも上方に位置し、一方の縦枠の室内側の最も他方の縦枠寄りの面が閉じ状態の障子の一方の縦框よりも内方に位置し、他方の縦枠の室内側の最も一方の縦枠寄りの面が閉じ状態の障子の他方の縦框よりも内方に位置することを特徴とする片開き窓である。
【０００８】
本発明においては、他方の縦枠は、本体部材とカバー部材で他方の縦框が入り込む凹陥部を有し、
前記他方の縦枠と前記他方の縦框とに亘って防虫網を取付け、
この防虫網は、障子閉じ状態の時に前記凹陥部と他方の縦框との間に折り畳みされた状態で収納され、障子開き状態の時には他方の縦枠と他方の縦框との間の開口よりも室内側に張設されるようにすることができる。
【０００９】
このようにすれば、障子が開き状態の時に、その開口の室内側に防虫網が張設されるから、開口から虫が室内に入り込むことを防止できる。
また、障子が閉じ状態の時には防虫網が折り畳みされた状態で凹陥部と他方の縦框との間に収納されるので、その防虫網を収納するために広いスペースが必要がない。
【００１０】
本発明においては、前述のように防虫網を取付けた場合に、カバー部材は他方の縦枠の本体部材と別部材で、一方の縦枠の本体部材にも取付け可能で、
一方の縦框と他方の縦框は、室外側部材と室内側部材を着脱自在に連結した形状で、その各室外側部材が同一形状で、かつ室内側部材が取り付け替えでき、
前記他方の縦框の室内側部材に防虫網の取付部を設けることができる。
【００１１】
このようにすれば、カバー部材と各室内側部材を取り付け替えすることで、障子を反対方向に移動して開口することができる。
【００１２】
本発明においては、障子の他方の縦框に開閉兼ロック部材を取付け、他方の縦枠にはロック受を取付け、この開閉兼ロック部材は常時ロック受と係合する方向に付勢して保持され、かつ障子の開き方向に操作することでロック受と離脱するようにできる。
【００１３】
このようにすれば、開閉兼ロック部材を手で持って障子開き方向に操作することでロック受と離脱してロックが解除され、そのままの状態で障子を開き方向に移動して開き状態とすることができる。
したがって、ロック解除操作と障子開き操作を連続して行なうことができ、障子の開き操作が簡単である。
【００１４】
本発明においては、ガラスの上縁部、下縁部の室外側面が、上框、下框に接着シール材で接着して取付けられ、このガラスの上縁部、下縁部の室内側面はフリーで、
前記ガラスの両方の縦縁部が、両方の縦框の内向凹部に挿入して室外側シール材と室内側シール材で支持することができる。
【００１５】
このようにすれば、ガラスの取付けが容易であると共に、上框、下框を単純な形状とすることができる。
【発明の効果】
【００１６】
請求項１に係る発明によれば、障子は召合せ框を有していないし、障子閉じ状態の時に、その障子の上框、下框、一方の縦框、他方の縦框が室内から見えることがない。
したがって、障子閉じ状態での内観の見栄えが良いと共に、眺望性が良い片開き窓である。
【発明を実施するための最良の形態】
【００１７】
図１に示すように、窓枠１は上枠２と下枠３と一方の縦枠４と他方の縦枠５を方形状に連結してある。
前記窓枠１に障子１０が上枠２、下枠３の長手方向（以下左右方向という）に移動自在に取付けてある。この障子１０は上框１１と下框１２と一方の縦框１３と他方の縦框１４を方形状に連結し、その内部にガラス１５が装着してある。
前記障子１０を閉じ状態から左右方向一方に移動すると、仮想線で示すように一方の縦框１３が窓枠１（一方の縦枠４）から側方に張り出し、他方の縦框１４が他方の縦枠５から離れ、その両者の間が開口１６した開き状態となる。
前記障子１０を開き状態から左右他方に移動すると実線で示すように前述の開口１６が閉塞されて閉じ状態となる。
これによって、片開き窓を形成している。
なお、図１は本発明を理解し易いように概略的に図示してあり、後述する具体形状と形状、手法が異なることがある。
【００１８】
前記上枠２は図２に示すように、本体部材２０と、この本体部材２０の室外側面２１よりも室外側に延設した上ガイド部材２２を備えている。
前記本体部材２０の面内方向の内側面（つまり、上枠２の室内側の最も下の面）２３は、上ガイド部材２２のガイド部２４の下端部よりも下方に位置し、障子１０の上框１１が内側面２３よりも上方に位置して室内から上框１１が見えないようにしてある。
前記下枠３は図２に示すように、本体部材３０と、この本体部材３０の室外側面３１よりも室外側に延設した下ガイド部材３２を備えている。
前記本体部材３０の面内方向の内側面（つまり、下枠３の室内側の最も上の面）３３は、下ガイド部材３２のガイド部３４の上端部よりも上方に位置し、障子１０の下框１２が内側面３３よりも下方に位置して室内から下框１２が見えないようにしてある。
【００１９】
前記一方の縦枠４は図３に示すように、本体部材４０を備え、この本体部材４０と上枠２、下枠３の本体部材２０，３０が、その室外側面４１と前記室外側面２１，３１が面一となるように連結される。
この本体部材４０の内側面（つまり、一方の縦枠４の室内側の最も他方の縦枠５寄りの面）４２は障子１０が閉じ状態の時に、一方の縦框１３よりも内方に位置し、室内から一方の縦框１３が見えないようにしてある。
前記他方の縦枠５は図３に示すように、本体部材５０と、その本体部材５０の室外側面５１よりも室外側に張り出したカバー部材５２を備えている。この本体部材５０と前記上枠２、下枠３の本体部材２０，３０が、その室外側面５１，２１，３１が面一となるように連結される。
この本体部材５０の内側面（つまり、他方の縦枠５の室内側の最も一方の縦枠４寄りの面）５３は障子１０が閉じ状態の時に、他方の縦框１４よりも内方に位置し、室内から他方の縦框１４が見えないようにしてある。
【００２０】
前述のように、上枠２、下枠３、一方の縦枠４、他方の縦枠５は、その各本体部２０，３０，４０，５０が連結されて室外側面２１，３１，４１，５１が面一となっていると共に、各内側面２３，３３，４２，５３が方形枠状に連続して室内側開口部１ａを形成している。
この実施の形態では、各内側面２３，３３，４２，５３にカバー材２３ａ，３３ａ，４２ａ，５３ａを取付け、このカバー材２３ａ，３３ａ，４２ａ，５３ａによって室内側開口部１ａを形成している。
このようであるから、本体部材２０，３０，４０，５０をアルミ押出形材とし、カバー材２３ａ，３３ａ，４２ａ，５３ａを樹脂製として本体部材２０，３０，４０，５０の表面を覆うことで、室内側開口部１ａに結露が発生しないようにできる。
【００２１】
前記障子１０の上框１１が上枠２のガイド部２４に沿って移動自在に支承され、下框１２が下枠３のガイド部３４に沿って移動自在に支承されている。
つまり、障子１０は上枠２の室外側部と下枠３の室外側部に移動自在に取付けてある。
【００２２】
前記カバー部材５２は室外側に向う側面板５４と、この側面板５４の室外側部に設けた内向板５５で鉤形状で、その内向板５５は上枠２のガイド部材２２の室外側面２２ａ、下枠３のガイド部材３２の室外側面３２ａとほぼ面一である。
前記カバー部材５２は前述の上枠２、下枠３のガイド部材２２，３２と連続し、このカバー部材５２と本体部材５０の室外側面５１とで凹陥部５６を形成している。この凹陥部５６は一方の縦枠４側に向けて開口し、障子１０を閉じた状態で他方の縦框１４が凹陥部５６内に入り込む。
【００２３】
前記他方の縦枠５と他方の縦框１４とに亘って防虫網６０が取付けてある。この防虫網６０は障子１０が閉じ状態の時に前述のカバー部材５２と他方の縦框１４との間に折り畳みされて収納される。
例えば、防虫網６０は２つに折り畳みされて、側面板５４と他方の縦框１４の外面との間、及び内向板５５と他方の縦框１４の室外側面との間に平面ほぼ鉤形状にして収納される。
前記障子１０が開き状態の時には、図４に示すように防虫網６０が他方の縦枠５と他方の縦框１４との間に張設されて前述の開口１６の室内側に位置する。
【００２４】
前述のように防虫網６０が張設した状態から、障子１０を閉じ方向に移動すると、図４に仮想線で示すように防虫網６０の左右方向の中間部が室外側に向けて変位し、防虫網６０は平面形状がほぼ山形状となり、さらに障子１０を閉じ方向に移動すると２つに折り畳みされて図３に示すように収納される。
例えば、防虫網６０の一端縁に取付材６１が固着され、この取付材６１が他方の縦枠５に取付けられる。
この実施の形態では、図４に示すようにカバー部材５２の後述する取付部５７にあり溝５７ａを形成し、このあり溝５７ａに取付材６１を抜け出さないように挿入して取付ける。
なお、他方の縦枠５（カバー部材５２）にファスナーの一方のストリンガーテープを取付け、他方のストリンガーテープを防虫網６０の一端縁に取付け、互いのストリンガーテープのエレメントをスライダーで噛合連結することで防虫網６０の一端縁を他方の縦枠５に取付けても良い。
また、他方の縦枠５（カバー部材５２）に面ファスナーの一方のテープ片を取付け、他方のテープ片を防虫網６０の一端縁に取付け、その両方のテープ片を係合連結することで防虫網６０の一端縁を他方の縦枠５に取付けても良い。
前記防虫網６０の他端縁が他方の縦框１４の凹部６２に取付けてある。
この実施の形態では、防虫網６０の他端縁にファスナーのストリンガーテープを取付け、そのストリンガーテープのエレメントを凹部６２に挿入して抜けないように取付けてある。
前記凹部６２は他方の縦框１４の室内側寄りに形成され、その凹部６２のスリット状の開口部分６２ａは張設状態の防虫網６０と平行に対してほぼ４５度としてある。
【００２５】
図３に示すように、障子１０の他方の縦框１４には開閉兼ロック部材７０が取付けてある。
この開閉兼ロック部材７０は他方の縦枠５に取付けたロック受７１に係脱する。
このようであるから、開閉兼ロック部材７０を手で持ってロック受け７１から離脱してロック解除し、そのままの状態で開閉兼ロック部材７０を左右一方に移動することで障子１０を開き方向に移動できる。
また、開閉兼ロック部材７０を手で持って障子１０を閉じ方向に移動し、閉じ状態となるロック受７１に係合して障子１０を閉じ状態でロックする。
【００２６】
前記開閉兼ロック部材７０は図３、図５に示すようにロック部７２と操作部７３を有し、ケース７４にピン７５で回動自在に取付けてある。
この開閉兼ロック部材７０はロック部７２がロック受７１に係合するロック位置に向けて回動付勢保持してあると共に、操作部７３を持って障子開き方向に回動するとロック部７２がロック受７１から離脱するロック解除位置まで回動し、それ以上は回動しないようにしてある。
【００２７】
例えば、スプリング７６でロック位置に向けて回動付勢保持し、ロック解除位置まで回動すると操作部７３がケース７４に当接してそれ以上回動しないようにする。
具体的には、開閉兼ロック部材７０は平面鉤形状で、ケース７４は縦板７４ａの一端寄りに上下横板７４ｂ，７４ｃを設けると共に、その上下横板７４ｂ，７４ｃと縦板７４ａの一端部に亘って端部縦板７４ｂを設けた形状で、その上下横板７４ｂ，７４ｃ間にピン７５が取付けてある。
前記縦板７４ａと操作部７３との間にスプリング７６が取付けてあると共に、操作部７３を持って開閉兼ロック部材７０をスプリング７６に抗して回動すると、その操作部７３が端部縦板７４ｄに干渉して、それ以上回動しないようにする。
【００２８】
前記ロック受け７１は，プレート７７に穴７８を形成したもので、そのプレート７７を他方の縦枠５の本体部材５０の室外側面５１にビス７９で固着して取付け、その穴７８が内側面５３より内方に突出するようにしてある。
前記ケース７４の縦板７４ａの他端部が他方の縦框１４の室内側面にビス止めして取付けてあり、障子１０が閉じ状態の時にロック部７２が穴７８に係合してロックするようにしてある。
【００２９】
前記上框１１は図２に示すように、その内側面（下の面）１１ａの室外側に内向片（下向き片）１１ｂが設けてあり、この内向片１１ｂの室内側面にガラス１５の室外側面１５ａの上縁部が接着シール材１７で接着して取付けてあり、その室内側面１５ｂの上縁部はフリーで、何ら支持されていない。
前記下框１２は、図２に示すように、その内側面（上の面）１２ａの室外側に内向片（上向き片）１２ｂが設けてあり、この内向片１２ｂの室外側面にガラス１５の室外側面１５ａの下縁部が前述の接着シール材１７で接着して取付けてあり、その室内側面１５ｂの下縁部はフリーで、何ら支持されていない。
【００３０】
前記一方の縦框１３、他方の縦框１４は図３に示すように、内向凹部１３ａ，１４ａを有し、この内向凹部１３ａ，１４ａ内にガラス１５の両方の縦縁部が挿入されて室外側シール材、例えば接着シール材１７と室内側シール材１８で支持してある。
この室内側シール材１８はガラス１５が風圧で室内側に変位した時に弾性変形するものが好ましい。
【００３１】
このように、ガラス１５の室外側面１５ａにおける上縁部、下縁部を接着シール材１７で接着し、ガラス１５の室内側面１５ｂにおける上縁部、下縁部をフリーとすれば、ガラス１５の取付けが容易にできると共に、上框１１、下框１２は内向凹部を有しない形状にでき、上框１１、下框１２を単純な形状とすることができる。
【００３２】
前記一方の縦框１３は室外側部材８０と室内側部材８１を着脱自在に連結、例えばビス８２で連結したものである。
前記他方の縦框１４も同様に室外側部材８３と室内側部材８４を着脱自在に連結、例えばビス８５で連結したものである。
前記各縦框１３，１４の室外側部材８０，８３は同一断面形状で、各室内側部材８２，８４はどちらかの縦框の室外側部材８０，８３にも左右勝手違いに取付できるようにしてある。
前記他方の縦框１４の室内側部材８４に前述の凹部６２が形成してあるので、その室内側部材８４を一方の縦框１３の室外側部材８０に取付ければ一方の縦框１３と一方の縦枠４とに亘って防虫網６０を前述のように取付けできる。
【００３３】
また、他方の縦枠５のカバー部材５２は本体部材５０と別体で、そのカバー部材５２は一方の縦枠４の本体部材４０に左右勝手違いに取付できる。
例えば、各本体部材４０，５０の室外側面４１，５１には取付け凹部４１ａ，５１ａが形成され、カバー部材５２の取付部５７を両方の取付け凹部４１ａ，５１ａに嵌め込んでビス５８で固着して取付けできるようにしてある。
【００３４】
このようであるから、カバー部材５２を一方の縦枠４の本体部材４０に取付け替えすると共に、縦框１３，１４の室内側部材８１，８４を取り付け替えすることで、障子１０を左右反対方向に移動して一方の縦枠４と一方の縦框１３との間を開口できる。
【００３５】
図３において、一方の縦框１３の室内側部材８１は、その室内側に内向鉤片８１ａを有し、この内向鉤片８１ａが一方の縦枠４の本体部材４０に取付けた受部材８６の外向鉤片８６ａを重なり合うようにしてある。
これによって、障子１０をバールなどで無理にこじ開けようとした場合に、その内向鉤片８１ａ、外向鉤片８６ａが干渉し合ってこじ開けに耐えるので、防犯上好ましい。
前記受部材８６は本体部材４０の取付け凹部４１ａにビス８７で固着してあり、この受部材８６は他方の縦枠５の本体部材５０の取付け凹部５１ａにビス８７で固着して取付けできるので、前述のように障子１０の移動方向を反対とする場合には、受部材８６を取り付け替えする。
【００３６】
図２に示すように、下框１２の室内側面１２ｃにストッパ９０がビス９１で取付けてある。前記下枠３の本体部材３０の室外側面３１の上部寄りにおける室外側寄りには凹陥部３５が形成してあり、この凹陥部３５によって一方の縦枠４の本体部材４０の内側面４２が露出している。
前記ストッパ９０は前述の凹陥部３５に突出し、図６の仮想線で示すように、このストッパ９０が前述の内側面４２に当接することで障子１０の開き方向の移動を制限して開き位置を決定し、その内側面４２が開き側受部である。
前記凹陥部３５には閉じ側受部９２がビス９３で固着して取付けてあり、前記ストッパ９０が図６の実線で示すように、閉じ側受部９２に当接することで障子１０の閉じ方向の移動を制限して閉じ位置を決定する。
【００３７】
このようであるから、障子１０を所定の開き位置、閉じ位置で停止できるから、障子１０が窓枠１から抜け落ちたり、カバー部材５２に衝突することを防止できる。
また、一方の縦枠４の本体部材４０をストッパ受けとしているから部品点数が少ない。
また、ストッパ９０、閉じ側受部９２は下枠３の本体部材３０の室外側面３１の凹陥部３５内に位置し、室内から見えないので、見栄えが良い。
【００３８】
前記上枠２、下枠３、一方の縦枠４、他方の縦枠５の本体部材２０，３０，４０，５０は図２、図３に示すように外向取付片２０ａ，３０ａ，４０ａ，５０ａと内向取付片２０ｂ，３０ｂ，４０ｂ，５０ｂを備え、それらを建物躯体開口部周縁の室外側面６と内側面７に固着具８でそれぞれ固着して取付けられる。
前記一方の縦枠４、他方の縦枠５には縦気密材、例えばモヘア９が取付けてあり、障子１０が閉じ状態の時に一方の縦框１３、他方の縦框１４に接して気密する。
【図面の簡単な説明】
【００３９】
【図１】片開き窓の概略外観図である。
【図２】片開き窓の詳細縦断面図である。
【図３】片開き窓の詳細横断面図である。
【図４】障子開き状態の防虫網部分の横断面図である。
【図５】操作兼ロック部材の斜視図である。
【図６】障子のストッパ部分の動作説明図である。
【符号の説明】
【００４０】
１…窓枠、２…上枠、３…下枠、４…一方の縦枠、５…他方の縦枠、１０…障子、１１…上框、１２…下框、１３…一方の縦框、１４…他方の縦框、１５…ガラス、１６…開口、１７…接着シール材、２０…本体部材、２２…ガイド部材、３０…本体部材、３２…ガイド部材、４０…本体部材、５０…本体部材、５２…カバー部材、５６…凹陥部、６０…防虫網、６１…接着シール材、７０…操作兼ロック部材、７１…ロック受、８０…室外側部材、８１…室内側部材、８８…室外側部材、８４…室内側部材。
【図１】
2006249873.tif 000003
【図２】
2006249873.tif 000004
【図３】
2006249873.tif 000005
【図４】
2006249873.tif 000006
【図５】
2006249873.tif 000007
【図６】
2006249873.tif 000008